(57)【要約】【課題】  オーディオ／ビデオデジタルデコーダの制御方法を提供する。【解決手段】  デジタルオーディオ／ビデオストリーム（ＭＰＥＧ）は連続的に収集され、そのビデオ部分（ＭＰＥＧビデオ）はイメージの順序シーケンスにより構成され、シーケンスの全てのイメージのビデオ復号化（２２）が行われ、シーケンスの一部分のみに基づいたビデオ信号（ＣＶＢＳ）がオーディオシーケンス（オーディオＲ、オーディオＬ）の再生を妨げることなく生成されることを特徴とする。【選択図】  図１
2004266801.tif 000002
【特許請求の範囲】
【請求項１】
デジタルビデオストリーム（ＭＰＥＧビデオ）がイメージの順序シーケンス（Ｉ０、Ｐ３、Ｂ１、Ｂ２、Ｐ６、Ｂ４、Ｂ５、Ｉ０’、Ｂ７、Ｂ８）により構成され、デジタルオーディオ／ビデオストリーム（ＭＰＥＧ）を連続的に収集するステップと、
前記シーケンス（Ｉ０、Ｐ３、Ｂ１、Ｂ２、Ｐ６、Ｂ４、Ｂ５、Ｉ０’、Ｂ７、Ｂ８）の全てのイメージをビデオ復号化するステップと、
前記シーケンスのイメージの一部分（Ｉ０；Ｉ０、Ｉ０’；Ｉ０、Ｐ３、Ｐ６、Ｉ０’）のみに基づいてビデオ信号（ＣＶＢＳ）を生成するステップと、
前記デジタルオーディオストリーム（ＭＰＥＧオーディオ）を、前記ビデオ復号化と同期してオーディオシーケンスに復号化するステップと
を有することを特徴とするオーディオ／ビデオデジタルデコーダの制御方法。
【請求項２】
前記オーディオシーケンスを再生するステップを有することを特徴とする請求項１に記載の方法。
【請求項３】
前記一部分とは、前記シーケンスの単一のイメージ（Ｉ０）であることを特徴とする請求項１又は２に記載の方法。
【請求項４】
前記シーケンスは、第１のタイプのイメージ（Ｉ０、Ｉ０’；Ｉ０、Ｐ３、Ｐ６、Ｉ０’）及び第２のタイプのイメージ（Ｐ３、Ｂ１、Ｂ２、Ｐ６、Ｂ４、Ｂ５、Ｂ７、Ｂ８；Ｂ１、Ｂ２、Ｂ４、Ｂ５、Ｂ７、Ｂ８）を有し、前記一部分は、該第１のタイプのイメージ（Ｉ０、Ｉ０’；Ｉ０、Ｐ３、Ｐ６、Ｉ０’）に限定されることを特徴とする請求項１又は２に記載の方法。
【請求項５】
前記収集は、デジタル媒体からの読み出しであることを特徴とする請求項１から４のいずれか１項に記載の方法。
【請求項６】
前記収集は、デジタルストリームの受信であることを特徴とする請求項１から４のいずれか１項に記載の方法。
【請求項７】
前記ビデオ信号は、表示用であることを特徴とする請求項１から６のいずれか１項に記載の方法。
【請求項８】
デジタルビデオストリームが第１のタイプ（Ｉ；Ｉ、Ｐ）及び第２のタイプ（Ｐ、Ｂ；Ｂ）のイメージの順序シーケンスにより構成され、デジタルオーディオ／ビデオストリームを連続的に収集するステップと、
前記第１のタイプ（Ｉ；Ｉ、Ｐ）及び前記第２のタイプ（Ｐ、Ｂ；Ｂ）のイメージをビデオ復号化するステップと、
前記第１のタイプ（Ｉ；Ｉ、Ｐ）のイメージのみに基づいてビデオ信号（ＣＶＢＳ）を生成するステップと
を有することを特徴とするオーディオ／ビデオデジタルデコーダの制御方法。
【請求項９】
第１のデータを前記第１のタイプ（Ｉ；Ｉ、Ｐ）の第１のイメージ（Ｉ０）にビデオ復号化するステップと、
前記第１のイメージ（Ｉ０）を表示し、同時に、第２のデータを前記第２のタイプ（Ｐ、Ｂ；Ｂ）のイメージにビデオ復号化し、第３のデータを前記第１のタイプの第２のイメージ（Ｉ０’）にビデオ復号化するステップと
前記第２のイメージ（Ｉ０’）を表示するステップと
を有することを特徴とするオーディオ／ビデオデジタルデコーダの制御方法。
【発明の詳細な説明】
【技術分野】
【０００１】
本発明は、オーディオ／ビデオデジタルデコーダの制御方法に関する。
【背景技術】
【０００２】
最近では、例えばデジタル媒体（ディスク等）、又は、ケーブル若しくは人工衛星により搬送されるデジタルストリーム等の、デジタルデータから生成されるオーディオビジュアルプログラムへのアクセスが一般的になっている。
【０００３】
デジタルデータは、その搬送のために、例えばＭＰＥＧ（Moving Picture Expert Groupを指す）等の特定の基準に従って符号化される。これらデジタルデータにより表されるオーディオ／ビデオコンテンツへのアクセスが所望される場合、標準装置（例えばテレビのＣＶＢＳ又はＲＧＢビデオ信号）で視聴できる信号を生成するオーディオ／ビデオデコーダが用いられる。
【０００４】
ビデオについては、ＭＰＥＧ基準は、符号化されたビデオシーケンスを構成する様々なイメージに対して３つの可能な符号化を提案する。それらは、Ｉタイプ（イントラ）、Ｐタイプ（インター）、そしてＢタイプ（双方向）の符号化（よってイメージ）である。
【０００５】
Ｉタイプのイメージに対応するデジタルデータを知っていれば、このイメージを生成することができる。もう一方で、Ｐ及びＢタイプのイメージを復号化できるようにするためには、その前に、隣接する基準イメージ（Ｉ又はＰタイプ）に既にアクセス（更に復号化まで）していることが必要となる。この欠点は、Ｐ及びＢタイプのイメージに対応するデジタルデータは、結果としてサイズが小さくなるという事実により補償される。
【０００６】
デジタルストリーム中で符号化されたイメージの一部分のみを見ることが所望されるときもある。例えば、フリーズフレームの間に、１つのイメージだけを特定の時間表示することが所望される。同様に、Ｉタイプのイメージのみの表示が所望されるときもあり、又は、代わりに、Ｉ及びＰタイプのイメージのみの表示が所望されるときもある。（表示されるイメージは第１のタイプのイメージと称される。）
【０００７】
一般的には、この後者の解決方法は、ビデオシーケンスの加速された再生（早送り）の際に提案される。通常再生速度でのイメージの復号化に合わせられたビデオデコーダを過負荷にしないために、見られるイメージ（第１のタイプのイメージ）、つまり、Ｉタイプのイメージのみ、又はＩ及びＰタイプのイメージのみを場合により復号化することが知られている。
【発明の開示】
【発明が解決しようとする課題】
【０００８】
よって、この解決方法では、復号化の際Ｂタイプのイメージがスキップされなければならないため、デジタルストリームを復号化するための通常の手順を用いることができない。
【０００９】
更に、この解決方法は、オーディオシーケンス及びビデオシーケンス間の同期の損失をもたらす。どのみち一般的には、加速された可聴オーディオ信号を得ることは不可能であるため、加速された再生の枠組み内では、この欠点の範囲は限られている。
【００１０】
しかし、加速されたモードを終了し通常モードに戻る際、この同期化の欠陥は、約１秒の期間ブラックスクリーンの表示として一般的に現れる最同期化段階を要する。
【００１１】
更に、その観点が加速された再生の枠組みの外にあるならば、Ｂタイプのイメージが表示されなくても、オーディオシーケンスの通常再生を維持できるように同期を保存することが好ましい。
【課題を解決するための手段】
【００１２】
デジタルストリームの一部分のみを表示する間でもあらゆる瞬間の同期を保存するために、本発明は、オーディオ／ビデオデジタルデコーダを制御する方法を提案する。該方法は、
デジタルビデオストリームがイメージの順序シーケンスから構成され、デジタルオーディオ／ビデオストリームを連続的に収集するステップと、
シーケンスの全てのイメージをビデオ復号化するステップと、
シーケンスのイメージの一部分のみに基づいてビデオ信号を生成するステップと
を有する。
【００１３】
ここで、「イメージの一部分のみ」という表現は、イメージの限定された部分、つまり、イメージの全体とは異なる部分のことであると解釈される。
【００１４】
前記方法は、また、好ましくは、ビデオ復号化と同期して、デジタルオーディオストリームをオーディオシーケンスに復号化するステップを有する。
【００１５】
よって、オーディオシーケンスは、平行して（つまり、イメージの限定された部分に基づいた信号の生成と同時に）再生されることができる。
【００１６】
限定された部分は、シーケンスの１つのイメージでもよい。これはフリーズフレームの場合である。
【００１７】
この方法は、オーディオをビデオと同期して平行に継続させながら、あらゆるタイプのイメージをフリーズさせ、その後表示を再開させることを可能にする。表示は直ちに再開され、ブラックスクリーンは現れない。
【００１８】
この解決方法はまた、第１のタイプのイメージのみ（ある場合はＩタイプ、また他の場合はＩ及びＰタイプ）を再生する間の、同期の損失に関連する欠点を回避するために有効に用いられることができる。
【００１９】
この場合、シーケンスは、第１のタイプのイメージ及び第２のタイプのイメージを有し、イメージの（ビデオ信号が生成されることを前提とする）部分は、第１のタイプのイメージに限定される。
【００２０】
収集は、デジタル媒体からの読み出し又はデジタルストリームの受信でもよい。
【００２１】
ビデオ信号は、表示用であることが好ましい。
【００２２】
よって、本発明は、
デジタルビデオストリームが第１のタイプ及び第２のタイプのイメージの順序シーケンスから構成され、デジタルオーディオ／ビデオストリームを連続的に収集するステップと、
第１のタイプのイメージ及び第２のタイプのイメージをビデオ復号化するステップと、
第１のタイプのイメージに基づいてビデオ信号を生成するステップと
を有することを特徴とするオーディオ／ビデオデコーダを制御する方法もまた提案する。
【００２３】
言い換えれば、本発明は、
第１のデータを第１のタイプの第１のイメージにビデオ復号化するステップと、
第１のイメージを表示するのと同時に、第２のデータを第２のタイプのイメージにビデオ復号化し、第３のデータを第１のタイプの第２のイメージにビデオ復号化するステップと、
第２のイメージを表示するステップと
を有する、オーディオ／ビデオデジタルデコーダの制御方法を提案する。
【００２４】
本発明のその他の特徴は、添付図面に関連して以下に詳述される本発明の実施形態により明らかになる。
【発明を実施するための最良の形態】
【００２５】
図１に示されるデジタルデコーダ２は、シンボル的に表されているアンテナ４から信号を受信する。アンテナから発せられた信号は、しばしばフロントエンドと称される、チューナ／復調器アセンブリ６に伝送される。フロントエンド６は、所与の周波数で受信された信号を選択し、この信号をベースバンドでデマルチプレクサ８に伝送する。該デマルチプレクサ８は、そこから、例えばＭＰＥＧ基準に従って、デジタルデータストリームを抽出する。このデータストリームは、その後、オーディオ／ビデオデコーダ１０によりビデオ信号及びオーディオ信号に変換される。オーディオ及びビデオ信号（例えばＣＶＢＳタイプの）は、例えばＳｃａｒｔソケット等のコネクタ１２に送出され、ケーブル１４により伝送され、その後例えばテレビ等の表示装置１６に表示される。
【００２６】
フロントエンド６、デマルチプレクサ８及びオーディオ／ビデオデコーダ１０等の、デジタルデコーダ２の様々な電子回路が、マイクロプロセッサ１８の監視下で作動する。
【００２７】
オーディオ／ビデオデコーダ１０は、入力モジュール２０を有する。該入力モジュール２０は、入ってくるＭＰＥＧストリームを、オーディオデコーダ２４向けのオーディオデータストリームであるＭＰＥＧオーディオと、ビデオデコーダ２２向けのビデオデータストリームであるＭＰＥＧビデオとに分ける。ＭＰＥＧオーディオ及びＭＰＥＧビデオデータストリームは、パケット化エレメンタリストリーム（ＰＥＳｓ）である。よって、ＭＰＥＧビデオストリームは、Ｉ、Ｐ及びＢタイプのイメージから構成される。
【００２８】
ビデオデコーダ２２は、ＭＰＥＧビデオストリームを、ＹＵＶデジタルストリームに変換する。該ＹＵＶデジタルストリームは、ＣＣＩＲ６０１基準に従って、ビデオエンコーダ２８でデジタル／アナログ変換された後でも表示されることができるビデオシーケンスを表す。前述の通り、ビデオエンコーダ２８の（よってオーディオ／ビデオデコーダ１０の）出力部でのビデオ信号は、ＣＶＢＳタイプのものである。それは、またＳ−ビデオ（Ｙ／Ｃ）又はＲＧＢタイプの信号でもよい。（ビデオエンコーダは、通常これらの様々なフォーマットに従って信号を送出する。）
【００２９】
オーディオデコーダ２４は、入ってくるオーディオストリームであるＭＰＥＧオーディオを、２つのデジタルオーディオストリーム（ＰＣＭ  Ｒ及びＰＣＭ  Ｌ）に変換し、該ＰＣＭ  Ｒ及びＰＣＭ  Ｌは、それぞれ２つのアナログオーディオ信号（オーディオＲ及びオーディオＬ）に変換され、ステレオ音が得られる。
【００３０】
ビデオデコーダ２２及びオーディオデコーダ２４における同時の復号化は、コンテンツの質の良い復元を保障する、オーディオシーケンス及びビデオシーケンス間の同期の保障を可能にする。
【００３１】
通常動作でのビデオデコーディングの方法が以下に詳述される。
【００３２】
ビデオデコーダ２２は、エレメンタリビデオストリームであるＭＰＥＧビデオを受信し、受信後復号化されたデータをビデオメモリ２６に記憶する。
【００３３】
Ｉ、Ｐ又はＢタイプのイメージのデータは、受信時、まずバッファメモリつまりレートバッファに記憶される。それらは、その後、それらが表すビデオイメージを再構築するために復号化される。この再構築されたビデオイメージは、フレームメモリ領域つまりフレームバッファ内のビデオメモリ２６に記憶される。イメージが完全に復号化されると（つまり再構築されると）、それは出力され表示されることができる。そうするために、ディスプレイポインタが、対応するフレームメモリ領域の開始部分に配置される。ビデオデコーダ２２は、その後、この復号化されたイメージを表すＹＵＶデジタルストリームを生成する。
【００３４】
Ｉタイプのイメージは、再構築されるために他のどのデータも必要としない。Ｐタイプのイメージは、復号化のために先行の参照イメージ（Ｉ又はＰタイプの）を用いる。Ｂタイプのイメージは、復号化のために、それらを取り囲む２つの参照イメージ（Ｉ又はＰ）を用いる。よって、メモリは、Ｂタイプのイメージを復号化するためには３つのフレームメモリ領域、つまり、参照イメージ（Ｉ又はＰ）を記憶するためのフレームメモリ領域を２つ、そしてＢタイプのイメージを復号化するためのフレームメモリ領域を１つ含むことができなければならない。
【００３５】
通常動作時のグループ・オブ・ピクチャーズ（ＧＯＰ）の復号化の詳細は、図２（ａ）〜図２（ｌ）を参照して以下に詳述される。
【００３６】
デコーダは以下のシーケンスを受信する。
Ｉ０Ｐ３Ｂ１Ｂ２Ｐ６Ｂ４Ｂ５Ｉ０’Ｂ７Ｂ８Ｐ３’Ｂ１’Ｂ２’
【００３７】
この指数は、イメージが、復号化後最終的に表示されるべき順序を示す。Ｂタイプのイメージの復号化は、隣接の参照イメージが事前に復号化されていることを必要とするため、イメージは表示される順序では受信されない。
【００３８】
図２（ａ）では、イメージＩ０が復号化され、ビデオメモリ２６のメモリ領域Ａに記憶される。よってデコーディングポインタＰＤは、再構築されたイメージを書き込みながらこのメモリ領域を探索する。
【００３９】
図２（ｂ）では、メモリ領域Ａの開始部分にディスプレイポインタＰＡを配置することによりイメージＩ０がビデオデコーダ２２により出力され、表示される。イメージＰ３が、メモリ領域Ｂで再構築される。よって、該メモリ領域Ｂは、デコーディングポインタＰＤにより探索される。
【００４０】
図２（ｃ）では、イメージＢ１が、メモリＡ及びＢ（参照イメージＩ０及びＰ３）のコンテンツを用いてメモリ領域Ｃで復号化される。復号化されると、イメージＢ１は、図２（ｄ）に示されるように、メモリ領域Ｃの開始部分にディスプレイポインタＰＡを配置することにより表示（ビデオデコーダ２２による出力）されることができる。
【００４１】
同様に、イメージＢ２は、メモリＡ及びＢのコンテンツを用いてメモリ領域Ｃで復号化され（図２（ｅ））、その後表示される（図２（ｆ））。
【００４２】
図２（ｆ）はまた、メモリ領域ＡでのイメージＰ６の復号化（よってイメージＩ０に対応するデータの上書きも）を示す。
【００４３】
図２（ｇ）及び図２（ｈ）に示されるように、参照イメージＰ６が復号化されると、メモリ領域Ｃで、イメージＢ４及びＢ５の連続的な復号化を進めることができる。（図示は無いが、イメージＢ４は、このイメージが復号化されればもちろん直ちに表示されることができる。）
【００４４】
その後次のグループのイメージＩ０’が受信され、メモリ領域Ｂで復号化され（図２（ｉ））、図２（ｊ）及び図２（ｋ）に示されるように、メモリ領域ＣでイメージＢ７及びＢ８を復号化（図示は無いが、表示も）できるようにする。（図２（ｊ）で、イメージＰ６の表示も見てとれる。）
【００４５】
最後に、図２（ｌ）では、新しいグループのイメージＰ３’の復号化がイメージＩ０’の表示と共に行われる。よって、前述のように、この方法は、イメージの新しいグループについて繰り返される。
【００４６】
デジタルデコーダ２はまた、受信されたＭＰＥＧデジタルストリームのＩタイプのイメージのみに基づく表示用のビデオ信号を生成するモードで動作することもできる。このモード（より簡潔にはダビングモードＩと称される）では、オーディオ及びビデオ間の同期を維持することが所望される。そのために、従来の復号化方法が維持され表示のみを変更することが提案される。
【００４７】
受信された全てのイメージ（つまりＩ、Ｐ、及びＢタイプのイメージ）の復号化と、グループのイメージＩの表示の維持との両方を可能にするために、例えば４つのフレームメモリ領域Ａ、Ｂ、Ｃ及びＤを用いることが提案される。よって、Ｂタイプのイメージの復号化時、表示されるＩタイプのイメージを記憶するために１つのメモリ領域が用いられ、参照イメージ（Ｐタイプの２つのイメージでもよく、つまりＩタイプのイメージとは異なっていてもよい）を記憶するために２つのメモリ領域が用いられ、最後のメモリ領域がＢタイプのイメージを復号化するために用いられる。
【００４８】
図３（ａ）〜図３（ｏ）は、上記述べられたシーケンスのモードＩにおける復号化方法の詳細を示す。
【００４９】
図３（ａ）では、イメージＩ０がメモリ領域Ａで復号化される。
【００５０】
イメージＩ０は、復号化されると、図３（ｂ）に示されるように、ディスプレイポインタＰＡをメモリ領域Ａの開始部分に配置することにより現れ、表示される。Ｐ及びＢタイプのイメージ復号化の過程でディスプレイポインタＰＡはこの位置に維持され、新しいＩタイプのイメージが復号化されたときだけ再び動かされることに着目することが重要である。よって、ＹＵＶデジタルストリーム（表示用）は、他のイメージの復号化の間中Ｉタイプのイメージを表す。よって、この機能は、フリーズフレームと類似している。
【００５１】
図３（ｂ）はまた、メモリ領域ＢでのイメージＰ３の復号化も示す。その後、イメージＢ１及びＢ２の連続的な復号化がメモリ領域Ｃで行われてもよい（図３（ｃ）及び図３（ｄ））。
【００５２】
図３（ｅ）に示されるように、イメージＰ６の復号化は、メモリ領域Ｃで行われる。具体的には、動作の通常モードとは逆に、モードＩでは、メモリ領域Ａに記憶されたイメージＩ０を上書きすることはできない。それは、後者は、表示用のＹＵＶデジタルストリームを生成するために用いられるためである。
【００５３】
図３（ｆ）では、イメージＢ４の復号化は、メモリ領域Ｂ及びＣを用いて実行され、再構築されたイメージはメモリ領域Ｄに記憶される。（他の選択肢として、イメージＰ６をメモリ領域Ｄに記憶して、イメージＢ４をメモリ領域Ｃに復号化することも可能であることも分かる。）
【００５４】
よって、図３（ｆ）では、全てのメモリ領域が用いられる。該全てのメモリ領域とは、表示されるＩタイプのイメージを記憶するためのメモリ領域Ａ、参照イメージ（Ｐタイプの）を記憶するためのメモリ領域Ｂ及びＣ、そしてＢタイプのイメージを復号化するためのメモリ領域Ｄである。
【００５５】
図３（ｇ）に示されるように、イメージＢ５の復号化は、メモリ領域Ｄで同様に行われる。
【００５６】
図３（ｈ）に示されるように、その後ビデオデコーダ２２は、次のＩタイプのイメージ（ここではＩ０’と称される）を受信し、それを、例えばメモリ領域Ｂ（領域Ｄも用いることができる）等の、利用可能なメモリ領域に復号化する。
【００５７】
図３（ｉ）及び図３（ｊ）に示されるように、その後イメージＢ７及びＢ８は、メモリＤで連続的に復号化されることができる。
【００５８】
イメージＢ７及びＢ８の復号化中、イメージＩ０’は既に再構築されており、よって表示できるようになっていることが分かる。イメージＩ０’は、デコーダのローカルクロックが、イメージＩ０’に関連したＰＴＳラベル（ＰＴＳとはプレゼンテーション・タイム・スタンプを指す）により指定される瞬間にちょうど達するとき表示される（つまりディスプレイポインタＰＡは、メモリ領域Ｂの開始部分を指すことにより、ビデオデコーダ２２の出力部において、イメージＩ０’の、ディスプレイに対する表示が伴うプレゼンテーションを得る）。
【００５９】
図３（ｋ）〜図３（ｏ）に示されるように、次に、新しいイメージのグループを復号化する手順が以下のように継続される。領域ＡではＰ３’が復号化され、領域Ｂ及びＡに記憶されたデータにより、領域ＣではＢ１’に続いてＢ２’が復号化され、領域ＣではＰ６’が復号化され、その後領域Ａ及びＣ（Ｉ０’が表示のために領域Ｂを用いる）に記憶されたデータにより領域ＤではＢ４’が復号化される。
【００６０】
新しいグループ・オブ・ピクチャーズを復号化する過程において、ディスプレイポインタＰＡは、メモリ領域Ｂの開始部分に維持され、イメージＩ０’のみに基づいた表示用のＹＵＶデジタルストリームを生成する。
【００６１】
よって、グループ・オブ・ピクチャーズの復号化はこのサイクルに従って継続される。
【００６２】
モードＩで、オーディオデコーダ２４は、入ってくるＭＰＥＧオーディオストリームのストリームＰＣＭ  Ｒ及びＰＣＭ  Ｌへの復号化を通常に継続し、よって、変換器３０は、復号化された（しかし表示はされない）ビデオストリームと同期してオーディオ信号オーディオＲ及びオーディオＬを生成する。よって、Ｉタイプのイメージのみが表示されていても、入ってくるストリームの音部分は、デジタルデコーダ２により通常再生される。
【００６３】
いかなるときでも、通常モードは、ストリームの再同期化を必要とせずに再開されることができる。実際、ディスプレイポインタＰＡをメモリ領域の開始部分に配置すれば、通常モードに従って表示されることができる。表示されるイメージは、通常復号化モードで復号化済みなので、直ちに表示されることができる。よって、通常モードの再開は、遅延又はブラックスクリーンが生じることなく実行される。
【００６４】
図４では、本発明によるデジタルデコーダ１０２の、もう１つの実施形態が示される。
【００６５】
デジタルデコーダ１０２は、２つのプロセッサを有するバイプロセッサデコーダ（又はバイ−ＣＰＵ）である。該２つのプロセッサとは、ＭＰＥＧ復号化プロセッサ１３６（デジタルテレビを指すＤＩＧ  ＴＶと短く称されることもある）と、ビデオ符号化プロセッサ１３８（デジタルデコーダの他の機能も管理するためＨＯＳＴと称されることもある）とである。
【００６６】
復号化プロセッサ１３６は、アンテナ１０４により受信された信号を、チューナ／復調器１０６及びデマルチプレクサ１０８でチューニングし、復調し、多重分離した後、ＭＰＥＧエレメンタリストリームを受信する。復号化プロセッサ１３６は、ＭＰＥＧビデオストリーム（ビデオデコーダ１２２向け）とＭＰＥＧオーディオストリーム（オーディオデコーダ１２４向け）とを分ける入力モジュール１２０を有する。
【００６７】
ビデオデコーダ１２２は、第１の実施形態で説明されたように、ビデオメモリ１２６を用いて入ってくるパケットを復号化し、復号化プロセッサ１３６の出力部で、ＣＣＩＲ６０１基準に従ってＹＵＶデジタルストリームを生成する。
【００６８】
オーディオデコーダ１２４は、入ってくるＭＰＥＧオーディオストリームを復号化し、復号化プロセッサ１３６の出力部で２つのデジタルストリームを生成する。該２つのデジタルストリームは、ＰＣＭ  Ｒ及びＰＣＭ  Ｌであり、それぞれ左右のオーディオチャネルの音を表す。
【００６９】
この実施形態によると、入ってくるＭＰＥＧビデオストリームのイメージの収集の全体は、モードＩのときと同様通常モードでもビデオデコーダ１２２により（第１の実施形態の通常モードでの動作で説明された方法で）復号化される。よって、ＹＵＶデジタルストリームは、通常モードでも、モードＩのときと同じように、タイプＩ、Ｐ及びＢのイメージから構成されるビデオシーケンスを表す。デジタルストリームＰＣＭ  Ｒ及びＰＣＭ  Ｌは、通常、ＹＵＶデジタルストリームと同期して生成される。
【００７０】
デジタルストリームＹＵＶ、ＰＣＭ  Ｒ及びＰＣＭ  Ｌは、符号化プロセッサ１３８に伝送される。そこで、ＰＣＭ  Ｒ及びＰＣＭ  Ｌデジタルストリームは、それぞれオーディオ信号オーディオＲ及びオーディオＬに変換される。該オーディオＲ及びオーディオＬは、それらが表すステレオ音を復元するための装置（例えばラウドスピーカを備えたテレビ）への伝送のためのコネクタ１１２向けである。
【００７１】
ＹＵＶデジタルストリームは、キャプチャモジュール１３２により符号化プロセッサ１３８内で受信される。キャプチャモジュール１３２は、ＹＵＶデジタルストリームを受信し、受信されたデータを関連メモリ１３４に記憶することができる。関連メモリ１３４に記憶された（そして表示されるイメージを表す）データは、コネクタ１１２向けの、対応するＣＶＢＳビデオ信号を生成する、ビデオエンコーダ１２８へ伝送される。
【００７２】
キャプチャ（つまり関連１３４メモリに受信されたデータのリアルタイムな記憶）は非活性化されることができる。この場合、受信されたＹＵＶデジタルストリームは、もはや符号化プロセッサ１３８には考慮されないため、関連メモリ１３４はもはや変更されず、デジタルエンコーダ１２８は、関連メモリ１３４に記憶されたイメージを表すＣＶＢＳビデオ信号を繰り返し生成する。よって、キャプチャの非活性化は、イメージのフリーズを生じさせる。
【００７３】
動作の通常モードでは、キャプチャは活性化されるので、ＹＵＶデジタルストリーム（Ｉ、Ｐ及びＢタイプのイメージのデジタル表現を含む）の全体は、ＣＶＢＳデジタル信号を生成するために用いられる。
【００７４】
もう一方で、Ｉタイプのイメージのみを表示したいときは（モードＩ）、Ｐ又はＢタイプのイメージを表すＹＵＶデジタルストリームの受信の間、復号化方法は変えずに、キャプチャは非活性化させ、ＹＵＶデジタルストリームがＩタイプのイメージを表すときのみそれ（キャプチャ）を活性化させることが提案される。
【００７５】
ＹＵＶデジタルストリームが、Ｉタイプのイメージを表すか否かによる情報は、復号化プロセッサ１３６により与えられ、図４には示されないリンク（例えば１２Ｃタイプ）を介して符号化プロセッサ１３８へ伝送される。
【００７６】
Ｉタイプのイメージのみについてキャプチャを活性化することにより、ＣＶＢＳビデオ信号は、入ってくるＭＰＥＧビデオストリームのＩタイプのイメージのみを表す。しかし、復号化の手順は復号化プロセッサ１３６で通常に継続されるため、表示されていない復号化済みイメージ（Ｐ及びＢイメージ）と同期してオーディオ経路を生成し再生することが可能になる。
【００７７】
よって、通常モードの再開は、遅延無く、且つブラックスクリーンを表示することなく実行されることができる。それは、連続的なキャプチャ（通常モード）の単純な活性化により、先に復号化された表示されるイメージを、オーディオ経路と同期して、ビデオエンコーダ１２８へ伝送することができるからである。
【００７８】
一般的な方法では、復号化及び表示手順（又はディスプレイに対する表示の手順）は、入ってくるデジタルストリーム上で連続的に（つまりリアルタイムで）実行されることに着目することが重要である。更に、これらの様々な手順は同時に行われる。
【００７９】
本発明は、当然、以上詳述された実施形態に限定されるものではない。例えば、上記例の記述ではＩイメージのみの表示を参照しているが、あらゆるタイプのイメージのフリーズと、受信されたＭＰＥＧデジタルストリームのタイプＩ及びＰのイメージのみに基づいた表示とに応用できる。
【００８０】
前述の場合、タイプＩ及びＰのイメージは、第１のタイプのイメージとして、またタイプＢのイメージは第２のタイプのイメージとして考慮される。
【００８１】
具体的には、本説明の始まりでも示されるように、「第１のタイプ」及び「第２のタイプ」という表現は、ＭＰＥＧ基準では規定されていないが、ここでは本発明の説明を簡潔化するために用いたものである。第１のタイプのイメージは、特定のイメージのみを表示したいときに表示されるイメージであり、よって、第１のタイプがタイプＩを表す場合もあり、また、タイプＩ及びＰを対象とする場合もある。それに対して、第２のタイプは、１つ又は複数の表示したくないイメージ、つまり第１の場合はタイプＰ及びＢ、第２の場合はタイプＢのイメージを表す。
【図面の簡単な説明】
【００８２】
【図１】本発明の第１の実施形態によるデジタルデコーダを表す。
【図２】図１のデジタルデコーダにおける通常モードでの復号化及び表示の手順を示す。
【図３】図１のデジタルデコーダにおけるＩモードでの復号化及び表示の手順を示す。
【図４】本発明の第２の実施形態によるデジタルデコーダを表す。
【符号の説明】
【００８３】
２、１０２  デジタルデコーダ
４、１０４  アンテナ
６、１０６  チューナ／復調器
８、１０８  デマルチプレクサ
１０  オーディオ／ビデオデコーダ
１２、１１２  コネクタ
１４  ケーブル
１６  表示装置
１８  マイクロプロセッサ
２０、１２０  入力モジュール
２２、１２２  ビデオデコーダ
２４、１２４  オーディオデコーダ
２６、１２６  ビデオメモリ
２８、１２８  ビデオエンコーダ
３０  変換器
１３２  キャプチャモジュール
１３４  関連メモリ
１３６  ＭＰＥＧ復号化プロセッサ
１３８  ビデオ復号化プロセッサ
【図１】
2004266801.tif 000003
【図２】
2004266801.tif 000004
【図３】
2004266801.tif 000005
【図４】
2004266801.tif 000006
【外国語明細書】
2004266801.tif 000007
2004266801.tif 000008
2004266801.tif 000009
2004266801.tif 000010
2004266801.tif 000011
2004266801.tif 000012
2004266801.tif 000013
2004266801.tif 000014
2004266801.tif 000015
2004266801.tif 000016
2004266801.tif 000017
2004266801.tif 000018
2004266801.tif 000019
2004266801.tif 000020
2004266801.tif 000021
2004266801.tif 000022
2004266801.tif 000023
2004266801.tif 000024